(57)【要約】  自動二輪車（１２）のブレーキ制御装置（１０）において、減速度閾値演算部（５４）は、バンク角演算部（５２）が推定したバンク角（α）に基づき、目標車輪減速度（減速度（Ａ１））を閾値以下の範囲内に制限する。これにより、自動二輪車（１２）の旋回時に、車体の挙動がより安定し、運転者に違和感を生じさせないようにすることができる。
2017168692.tif 000002
【特許請求の範囲】
【請求項１】
車両の減速度（Ａ）を推定する減速度推定手段（５４）と、前記車両のバンク角（α）を推定するバンク角推定手段（５２）と、車輪（２４、２６）のスリップ（Ｓ）を検出し、該スリップ（Ｓ）を所定の範囲に制限するように前記車両のブレーキ（２０、２２）を制御するスリップ抑制手段（５６）とを具備する自動二輪車（１２）のブレーキ制御装置（１０）であって、
推定された前記バンク角（α）に基づき前記減速度（Ａ）を所定の範囲に制限するように前記ブレーキ（２０、２２）を制御する減速度制限手段（５４）をさらに備えることを特徴とする自動二輪車（１２）のブレーキ制御装置（１０）。
【請求項２】
請求項１記載の自動二輪車（１２）のブレーキ制御装置（１０）において、
前記減速度制限手段（５４）による前記ブレーキ（２０、２２）の制御の実行中、前記スリップ（Ｓ）が所定の範囲を超えた場合には、前記減速度制限手段（５４）による前記ブレーキ（２０、２２）の制御から、前記スリップ抑制手段（５６）による前記ブレーキ（２０、２２）の制御に切り替わることを特徴とする自動二輪車（１２）のブレーキ制御装置（１０）。
【請求項３】
請求項１又は２記載の自動二輪車（１２）のブレーキ制御装置（１０）において、
前記減速度制限手段（５４）は、前記自動二輪車（１２）の前輪（２４）のブレーキ（２０）のみ制御することを特徴とする自動二輪車（１２）のブレーキ制御装置（１０）。
【請求項４】
請求項１〜３のいずれか１項に記載の自動二輪車（１２）のブレーキ制御装置（１０）において、
前記減速度制限手段（５４）は、推定された前記バンク角（α）の絶対値が大きくなるほど、より小さな値に前記減速度（Ａ）を制限することを特徴とする自動二輪車（１２）のブレーキ制御装置（１０）。
【請求項５】
請求項４記載の自動二輪車（１２）のブレーキ制御装置（１０）において、
前記減速度制限手段（５４）は、推定された前記バンク角（α）に応じて、前記減速度（Ａ）を制限することを特徴とする自動二輪車（１２）のブレーキ制御装置（１０）。
【請求項６】
請求項５記載の自動二輪車（１２）のブレーキ制御装置（１０）において、
前記減速度制限手段（５４）は、推定された前記バンク角（α）の絶対値が第１所定値（α１）以下の場合には、前記減速度（Ａ）の制限処理を行わないことを特徴とする自動二輪車（１２）のブレーキ制御装置（１０）。
【請求項７】
請求項５又は６記載の自動二輪車（１２）のブレーキ制御装置（１０）において、
前記減速度制限手段（５４）は、推定された前記バンク角（α）の絶対値が第２所定値（α２）以上の場合には、前記減速度（Ａ）を一定値以下に制限することを特徴とする自動二輪車（１２）のブレーキ制御装置（１０）。
【発明の詳細な説明】
【技術分野】
【０００１】
本発明は、車輪のスリップを所定範囲に制限しつつ、ブレーキを制御する自動二輪車のブレーキ制御装置に関する。
【背景技術】
【０００２】
従来より、自動二輪車等の車両において、スリップが発生しやすい路面状態で運転者がブレーキをかけたときに該ブレーキがロックすることを回避するため、ブレーキ液圧の調整を断続的に行うＡＢＳ（Ａｎｔｉｌｏｃｋ  Ｂｒａｋｅ  Ｓｙｓｔｅｍ）制御が行われており、その中には、車両の直進時に限らず、コーナリング時（車両の旋回中）にもＡＢＳ制御を作動させる技術もある。【０００３】
例えば、特開２０１５−２１４３２１号公報には、車両の旋回中のブレーキ制御に関し、ブレーキ制御用の車輪速度を検出し、検出した車輪速度からスリップ率又はスリップ量を算出して、スリップを所定範囲に抑えるようにブレーキ制動力を制御する技術が開示されている。【０００４】
また、国際公開第２０１２／０８６２８９号パンフレットには、車両の前後輪の最大制動力を設定し、設定した最大制動力よりも低い目標制動力にブレーキ制動力を制限する技術が開示されている。
【発明の概要】
【０００５】
ところで、自動二輪車の旋回時には、直進時に比べ、制動操作により、運転者の把持するハンドルに掛かる外力の影響を運転者が感じやすいことが本出願人の調査によって明らかとなった。このような状況でブレーキ液圧を制御すると、運転者は、自動二輪車の旋回時に運転者が違和感を覚える可能性がある。
【０００６】
そこで、本発明は、車両の旋回中に運転者がハンドルに掛かる外力の影響を感じにくいようなブレーキ制御を実行することで、車両の旋回中のブレーキ制動を安定化しつつ、運転者の安心感を創出させることができる自動二輪車のブレーキ制御装置を提供することを目的とする。
【０００７】
本発明に係る自動二輪車のブレーキ制御装置は、車両の減速度を推定する減速度推定手段と、前記車両のバンク角を推定するバンク角推定手段と、車輪のスリップを検出し、該スリップを所定の範囲に制限するように前記車両のブレーキを制御するスリップ抑制手段とを具備する自動二輪車のブレーキ制御装置であって、以下の特徴を有する。
【０００８】
第１の特徴；前記ブレーキ制御装置は、推定された前記バンク角に基づき前記減速度を所定の範囲に制限するように前記ブレーキを制御する減速度制限手段をさらに備える。
【０００９】
第２の特徴；前記減速度制限手段による前記ブレーキの制御の実行中、前記スリップが所定の範囲を超えた場合には、前記減速度制限手段による前記ブレーキの制御から、前記スリップ抑制手段による前記ブレーキの制御に切り替わる。
【００１０】
第３の特徴；前記減速度制限手段は、前記自動二輪車の前輪のブレーキのみ制御する。
【００１１】
第４の特徴；前記減速度制限手段は、推定された前記バンク角の絶対値が大きくなるほど、より小さな値に前記減速度を制限する。
【００１２】
第５の特徴；前記減速度制限手段は、推定された前記バンク角に応じて、前記減速度を制限する。
【００１３】
第６の特徴；前記減速度制限手段は、推定された前記バンク角の絶対値が第１所定値以下の場合には、前記減速度の制限処理を行わない。
【００１４】
第７の特徴；前記減速度制限手段は、推定された前記バンク角の絶対値が第２所定値以上の場合には、前記減速度を一定値以下に制限する。
【００１５】
本発明の第１の特徴によれば、ブレーキ制御装置は、スリップ抑制手段によりスリップを所定の範囲に制限するようにブレーキ制御を行う制御モードと、減速度制限手段によりバンク角に基づき減速度を所定の範囲に制限するようにブレーキ制御を行う制御モードとを有する。このように、第１の特徴では、スリップの抑制だけでなく、減速度を所定の範囲に制限するようにブレーキ制御を行うことができる。
【００１６】
すなわち、本出願人が調査したところ、自動二輪車の旋回時に、スリップ抑制手段によりスリップを制限してブレーキ制御を行うと、ハンドルに掛かる外力の影響が大きい場合があり、運転者に違和感を生じさせる可能性がある。従って、運転者が感じる違和感を低減させるためには、スリップ抑制によるブレーキ制御の開始よりも早い段階で、ブレーキ制御を開始させる必要がある。
【００１７】
そこで、第１の特徴では、スリップ抑制を伴うブレーキ制御が行われるタイミングよりも早いタイミングで、減速度に基づくブレーキ制御を実行する。このように、比較的早いタイミングで、減速度に基づくブレーキ制御の機会を増やすことにより、自動二輪車の旋回中、運転者がハンドルに掛かる外力の影響を感じにくいようにブレーキ制動力を制御することができる。また、旋回中のブレーキ制動がより安定化することにより、運転者に対して更なる安心感を創出することもできる。
【００１８】
本発明の第２の特徴によれば、減速度制限手段によるブレーキの制御と、スリップ抑制手段によるブレーキの制御とを共存させている。これにより、減速度制限手段によるブレーキ制御の実行中、スリップが一時的に大きくなり、スリップが所定の範囲を超えてしまう場合には、減速度制限手段によるブレーキ制御が中断され、スリップ抑制手段によるブレーキ制御に一時的に切り替わる。この結果、スリップを抑制するためのブレーキ制御を優先して実行することが可能となる。
【００１９】
本発明の第３の特徴によれば、減速度制限手段が前輪のブレーキのみ制御する。そのため、前輪のブレーキをかけてから後輪のブレーキをかけるまでの間は、減速度制限手段の制御が作動する場合でも、後輪のブレーキは、運転者のブレーキ操作の入力を受け付けることが可能である。これにより、運転者による後輪のブレーキ操作に対する違和感を生じさせにくくすることができる。
【００２０】
本発明の第４の特徴によれば、バンク角の絶対値が大きくなるほど、ハンドルに掛かる外力の影響による違和感を運転者に生じさせるような減速度の限界値が小さくなる。これにより、減速度を適切な値に制御することができる。
【００２１】
本発明の第５の特徴によれば、ハンドルに掛かる外力の影響を感じさせないときの減速度がバンク角に応じたマップとして作成されるので、当該マップを用いて、自動二輪車の特性に合わせた適切なブレーキ制御を容易に行うことができる。
【００２２】
本発明の第６の特徴によれば、バンク角の絶対値が第１所定値以下では、自動二輪車は、直立に近い状態となる。このような状態では減速度を制限させないことで、より大きなブレーキ制動力を発揮させることが可能となる。この結果、運転者によるブレーキ操作性を損なわせることなく、適切なブレーキ制御を実施することができる。
【００２３】
本発明の第７の特徴によれば、バンク角の絶対値が第２所定値以上の非常に大きなバンク角では、減速度が一定値以下に制限される。これにより、ハンドルに掛かる外力の影響による運転者の違和感の抑制よりも、ブレーキ制動力の確保の方が優先される。この結果、より安定したブレーキ制御性を発揮させることができる。
【図面の簡単な説明】
【００２４】
【図１】本実施形態に係るブレーキ制御装置が適用される自動二輪車の右側面図である。
【図２】図１のブレーキ制御装置のブロック図である。
【図３】図３Ａは、前輪の模式的な左側面図であり、図３Ｂは、前輪の模式的な平面図であり、図３Ｃは、前輪及び後輪の模式的な斜視図である。
【図４】図４Ａは、旋回中の自動二輪車に作用する力の釣り合いを図示した説明図であり、図４Ｂは、前輪の模式的な背面図であり、図４Ｃは、前輪の模式的な平面図である。
【図５】バンク角と減速度との関係を示すマップである。
【図６】バンク角とスリップ率との関係を示すマップである。
【図７】スリップに基づきＡＢＳ制御を実行する場合のタイミングチャートである。
【図８】減速度に基づきＡＢＳ制御を実行する場合のタイミングチャートである。
【図９】減速度に基づきＡＢＳ制御を実行しているときに、スリップ抑制制御を実行する場合のタイミングチャートである。
【発明を実施するための形態】
【００２５】
本発明について、好適な実施形態を掲げ、添付の図面を参照しながら、以下詳細に説明する。
【００２６】
［本実施形態の概略構成］
本実施形態に係る自動二輪車のブレーキ制御装置１０（以下、本実施形態に係るブレーキ制御装置１０ともいう。）について、図１及び図２を参照しながら説明する。
【００２７】
本実施形態に係るブレーキ制御装置１０は、自動二輪車１２に適用される。なお、図１は、自動二輪車１２の右側面図である。
【００２８】
自動二輪車１２は、ハンドル１４に取り付けた左右のブレーキレバー１６と、これらのブレーキレバー１６を運転者が握ることにより、ブレーキ液圧を発生させる左右のマスタシリンダ１８と、左右のマスタシリンダ１８からのブレーキ液圧で作動する前輪用のディスクブレーキ２０及び後輪用のディスクブレーキ２２と、これらのディスクブレーキ２０、２２によりそれぞれ制動される前輪２４及び後輪２６とを備える。なお、図１では、右側のブレーキレバー１６及びマスタシリンダ１８を図示し、左側のブレーキレバー及びマスタシリンダについては、図示を省略している。
【００２９】
また、自動二輪車１２は、前輪２４及び後輪２６の制動時のロックを防止するためのＡＢＳ用圧力調整装置２８と、ＡＢＳ用圧力調整装置２８を制御する制御装置３０と、前輪２４及び後輪２６の各回転速度（車輪速度）をそれぞれ検出して制御装置３０に出力する前輪回転速センサ３２及び後輪回転速センサ３４をさらに備える。なお、前輪２４には、ブレーキディスク３６が取り付けられ、後輪２６には、ブレーキディスク３８が取り付けられている。また、ＡＢＳは、急制動時、又は、滑りやすい路面において、制動時に起きる前輪２４及び後輪２６のロックを防止する装置である。
【００３０】
前輪用のディスクブレーキ２０は、ブレーキディスク３６と、このブレーキディスク３６を挟み込む図示しないブレーキパッドと、ブレーキパッドを押圧するために図示しないシリンダ内に移動自在に挿入したピストンと、これらのブレーキパッド及びピストンを収納するブレーキキャリパ４２とからなる。
【００３１】
後輪用のディスクブレーキ２２は、ブレーキディスク３８と、ブレーキディスク３８を挟み込む図示しないブレーキパッドと、ブレーキパッドを押圧するための図示しないシリンダ内に挿入したピストンと、ブレーキパッド及びピストンを収納するブレーキキャリパ４４とからなる。
【００３２】
さらにまた、自動二輪車１２は、車体の姿勢を検出するジャイロセンサ又は加速度センサ等の姿勢検出センサ４６をさらに備える。
【００３３】
本実施形態に係るブレーキ制御装置１０は、ＡＢＳ用圧力調整装置２８、制御装置３０、前輪回転速センサ３２、後輪回転速センサ３４、バルブ制御ユニット４０及び姿勢検出センサ４６等から構成される。なお、制御装置３０は、ＡＢＳ用圧力調整装置２８及びバルブ制御ユニット４０を制御する装置である。前輪回転速センサ３２及び後輪回転速センサ３４は、マグネット及びコイルからなる電磁誘導式のセンサであり、前輪２４及び後輪２６近傍にそれぞれ取り付けられることにより、前輪２４及び後輪２６の車輪速度をそれぞれ検知する。
【００３４】
図２に示すように、ブレーキ制御装置１０において、制御装置３０は、車体速度演算部５０、バンク角演算部５２（バンク角推定手段）、減速度閾値演算部５４（減速度推定手段、減速度制限手段）、及び、スリップ率閾値演算部５６（スリップ抑制手段）を有する。また、ＡＢＳ用圧力調整装置２８は、バルブ制御演算部５８に対応する。
【００３５】
車体速度演算部５０は、前輪回転速センサ３２及び後輪回転速センサ３４から入力される各車輪速度に基づき車体速度を算出する。バンク角演算部５２は、姿勢検出センサ４６から入力される自動二輪車１２の角速度や加速度と、車体速度とに基づき、自動二輪車１２のバンク角αを算出する。減速度閾値演算部５４は、前輪回転速センサ３２及び後輪回転速センサ３４からの各車輪速度に基づき自動二輪車１２の減速度Ａを算出し、減速度Ａ及びバンク角αに基づいて、減速度Ａの制限処理（減速度Ａに基づくブレーキ制御（ＡＢＳ制御））を行う。スリップ率閾値演算部５６は、車体速度に基づき前輪２４及び後輪２６のスリップ（スリップ率、スリップ量）を算出し、算出したスリップに基づいて、減速度Ａの制限処理（スリップに基づくブレーキ制御（ＡＢＳ制御））を行う。
【００３６】
バルブ制御演算部５８は、減速度閾値演算部５４及びスリップ率閾値演算部５６の各処理結果に基づき、自動二輪車１２のブレーキ制御モードを決定すると共に、決定したブレーキ制御モードに基づいて、ブレーキ液圧を制御するバルブの開閉信号をバルブ制御ユニット４０に出力する。バルブ制御ユニット４０は、開閉信号に基づいてバルブを開閉することにより、ブレーキ液圧を調整し、各ディスクブレーキ２０、２２のブレーキ制動力を制御する。
【００３７】
［本実施形態の課題］
以上のように構成されるブレーキ制御装置１０の動作説明に先立ち、当該ブレーキ制御装置１０が解決すべき課題について、図３Ａ〜図４Ｃを参照しながら説明する。
【００３８】
図３Ａ〜図３Ｃは、自動二輪車１２の旋回中にステアリング軸６０に作用する力を図示したものである。
【００３９】
図３Ａで模式的に示すように、ステアリング軸６０は、前輪２４の中心を通って後方に傾斜するように配置されている。この場合、ステアリング軸６０と路面６６とが交差する箇所を交点６２とし、前輪２４における路面６６との接触箇所を接地点６４とすれば、交点６２と接地点６４との距離がトレールとなる。
【００４０】
また、図３Ｂに示すように、自動二輪車１２が右側前方に旋回する場合、運転者は、ハンドル１４を右側に切り、路面６６に対して自動二輪車１２を右側に角度θだけ倒した状態（図３Ｃ参照）で自動二輪車１２を旋回させる。
【００４１】
この場合、前輪２４には、ハンドル１４が右側に切られ、車体が右側に角度θ倒れていることにより、接地点６４から右方向に向かう力（タイヤ横力）が作用する。このモーメントＭａは、ステアリング軸６０（ハンドル１４の向き）を自動二輪車１２の直進方向に戻す力として作用する。また、ステアリング軸６０には、前輪２４が路面６６から受ける路面反力による反作用力のモーメントＭｂが作用する。このモーメントＭｂは、ステアリング軸６０を旋回方向（傾斜方向）に切れ増す力として作用する。従って、自動二輪車１２の旋回中は、主に、これら２つのモーメントＭａ、Ｍｂが均衡するハンドル切れ角と車体傾斜角とで安定した旋回状態が維持される。
【００４２】
この結果、図４Ａに示すように、通常の旋回時に、ステアリング軸６０の交点６２側には、右方向のタイヤ横力と路面反力（前輪２４の重力に対向して路面６６から前輪２４に作用する上方向の反作用の力）とが作用する。また、ステアリング軸６０のハンドル１４（図１参照）側には、左方向への遠心力と下方向への重力とが作用する。従って、通常の旋回時には、これらの力の釣り合いにより、自動二輪車１２の挙動は安定する。
【００４３】
図４Ｂ及び図４Ｃに示すように、自動二輪車１２の旋回時に、ＡＢＳ制御によって、制動力（ブレーキ制動力）が前輪２４に作用すると、前輪２４には、ステアリング軸６０の回りに捻れトルクが発生する。図４Ｂに示すように、自動二輪車１２の旋回によって接地点６４が右側にオフセットし、接地点６４に制動力が作用することにより、図４Ｃに示すように、接地点６４を作用点とし、且つ、ステアリング軸６０に対して時計方向に、前輪２４を回転させるモーメントＭｃが作用する。捻れトルクは、このモーメントＭｃに起因したトルクである。
【００４４】
このような捻れトルクによってハンドル１４が切り込まれると、車体には直立方向に向かう力が作用する。この力は、ハンドル１４に掛かる外力の原因となる。ハンドル１４の切り込みの大きさが許容量を超えると、運転者は、ハンドル１４に掛かる外力の影響を違和感として感じることになる。
【００４５】
このように、ＡＢＳ制御の作動によって車体の挙動に影響を与える具体的な要因としては、下記のようなものが考えられる。
【００４６】
（１）ブレーキ液圧の増大による制動力の増加が考えられる。この場合、ステアリング軸６０に切り込む力が増加するので、ハンドル１４の切れ込み方向の振れと共に、車体を起こすような力が作用する。
【００４７】
（２）ブレーキ液圧の低下による制動力の減少が考えられる。この場合、ステアリング軸６０の切り込む力が低下するので、ステアリング軸６０は、直進方向を向き、この結果、ハンドル１４の直進方向の向きの振れと共に、車体を倒れ込ませる側に力が作用する。
【００４８】
（３）ディープスリップの発生が考えられる。この場合、タイヤ制動力が低下し、ステアリング軸６０の切り込む力が低下するので、ステアリング軸６０は、直進方向を向き、この場合でも、ハンドル１４の直進方向の向きの振れと共に、車体を倒れ込ませる側に力が作用する。
【００４９】
これら３つの要因が時間経過に伴って繰り返し発生し、あるいは、変化することにより、ハンドル１４に掛かる外力が運転者の感覚に影響を与える。つまり、制動力が短時間で一定以上に変化すると、捻れトルクの大きさの変化により、運転者に違和感を生じさせる可能性がある。
【００５０】
［本実施形態の動作］
そこで、本出願人は、自動二輪車１２の旋回中、ハンドル１４に掛かる外力の影響を運転者に感じさせないようなブレーキ制御（ＡＢＳ制御）の方法が可能か否かを調査した。その結果、ハンドル１４に掛かる外力の影響を違和感として運転者に感じさせにくいようにブレーキ制御を行うためには、スリップ（スリップ率、スリップ量）に基づきブレーキ制御を行うのではなく、自動二輪車１２の減速度Ａに基づいてブレーキ制御を行う必要があるとの結論に至った。これにより、ブレーキ制御中の制動力の変化を少なくすることができ、車体挙動の安定性を運転者の違和感を感じさせないレベルにすることができる。
【００５１】
ここで、減速度Ａに基づくブレーキ制御の動作について、図１、図２及び図５〜図９を参照しながら説明する。
【００５２】
減速度閾値演算部５４は、図５に示すマップ６８を有する。このマップ６８は、横軸をバンク角α、縦軸を減速度Ａとしたときに、試験運転者が実際にハンドル振れを感じなくなったポイントをプロットし、プロットした箇所を直線で結んだものである。従って、各ポイントを結ぶ直線の値（減速度閾値）以下の領域では、試験運転者はハンドル１４に掛かる外力の影響に違和感がない。すなわち、このマップ６８は、路面６６上に自動二輪車１２を走行させ、試験運転者が自動二輪車１２を旋回させたときに、バンク角α毎に、ハンドル１４に掛かる外力の影響に違和感がなくなった減速度Ａの下限値（閾値）を実測し、実測した減速度Ａの閾値をプロットしたものである。
【００５３】
なお、自動二輪車１２は、旋回時には、直立状態（α＝０°）に対して左右に傾く。そのため、マップ６８では、左右のバンク角αに応じた減速度Ａ（ハンドル１４に掛かる外力の影響に違和感がなくなるときの目標車輪減速度）の閾値が２本の線（閾値線）としてマップ化されている。また、マップ６８では、左右のバンク角αについて、閾値線が１本ずつ描かれているが、実際には、自動二輪車１２の車速毎に閾値線が設けられる。さらに、本実施形態において、マップ６８は、前輪２４の減速度Ａに関するマップであるが、後輪２６の減速度に関わるマップであってもよい。
【００５４】
そして、減速度閾値演算部５４は、マップ６８を参照し、バンク角演算部５２が算出したバンク角αに対して、閾値線以下の所定の減速度Ａを、ＡＢＳ制御を開始させるときの減速度（目標車輪減速度）として設定する。この場合、減速度閾値演算部５４には、前輪回転速センサ３２及び後輪回転速センサ３４から各車輪速度が入力されるので、減速度閾値演算部５４は、入力された各車輪速度から自動二輪車１２の現時点の減速度Ａを算出した後、算出した減速度Ａが目標車輪減速度に到達すれば、ＡＢＳ制御の作動を決定する。これにより、運転者がハンドル１４に掛かる外力の影響に違和感がない状態でＡＢＳ制御を開始させることができる。
【００５５】
また、マップ６８において、バンク角αの絶対値が第１所定値α１以下（−α１≦α≦＋α１）の範囲では、自動二輪車１２は、直立に近い状態となる。このような状態では、マップ６８を用いた減速度ＡによるＡＢＳ制御の制限処理を行わない。これにより、ブレーキ制御装置１０は、運転者によるブレーキレバー１６の操作量に応じた制動力を各ディスクブレーキ２０、２２に作用させる。
【００５６】
さらに、マップ６８において、バンク角αの絶対値が第２所定値α２以上（α≦−α２又は＋α２≦α）の非常に大きなバンク角では、減速度Ａを一定値以下に制限する。この場合、自動二輪車１２は、直立状態よりも左右に相当傾いた状態となるので、ブレーキ制御装置１０は、ハンドル振れによる運転者の違和感の抑制よりも、制動力の確保を優先させる。
【００５７】
このように、ブレーキ制御装置１０では、自動二輪車１２の旋回時におけるＡＢＳ制御の作動開始に関して、任意のバンク角αについて、閾値以下の減速度Ａ（目標車輪減速度）でＡＢＳ制御を開始するように、ブレーキ制御に関わる各装置を制御する。上述した減速度閾値演算部５４での処理結果（目標車輪減速度等）は、減速度閾値演算部５４からバルブ制御演算部５８に出力される。
【００５８】
ここで、上述の減速度Ａに基づくＡＢＳ制御に対する、従来のスリップに基づくＡＢＳ制御で改良が望まれる点について、さらに付言する。
【００５９】
ドライな路面６６の状況下で自動二輪車１２を旋回させると、制動時には、スリップが大きくなり、ブレーキ制御によってスリップを抑制する前に、運転者が違和感として感じるようなレベルのハンドル１４に掛かる外力の影響が発生する場合がある。このような旋回中に発生するハンドル１４に掛かる外力の影響は、車両としての旋回状態が安定していても、場合によって運転者に違和感を感じさせる可能性がある。そのため、このようなハンドル１４に掛かる外力の影響による違和感を運転者に感じさせにくくすることで、運転者に更なる安心感を与えれば、旋回中のブレーキ制御の利便性をより運転者に感じさせることができる。
【００６０】
このように、本実施形態では、減速度Ａを所定の範囲に制限するようにしている。一方、スリップ率やスリップ量を抑制するようにブレーキ制御を実行する方法では、求める性能に対し、非常に高度な制御技術を有する。また、ブレーキ液圧を制御対象とすると、精度の高い圧力センシングを要するため、コストとのバランスが難しくなる。すなわち、スリップに基づくブレーキ制御方法では、スリップしないがハンドル１４に掛かる外力の影響が発生しやすい領域では制御が難しい。また、ブレーキ液圧に基づくブレーキ制御方法では、実際に前輪２４及び後輪２６に発生している制動力の検知精度とコストとのバランスが難しい。
【００６１】
また、ブレーキ制御装置１０では、従来の技術と同様に、任意のバンク角αについて、スリップの大きさに基づき、ＡＢＳ制御の作動を開始させることも可能である。図６は、スリップ率Ｓとバンク角αとの関係を示すマップである。図６のマップでは、バンク角αが大きくなるほど、スリップ率Ｓが低下する閾値線が図示されている。これは、任意のバンク角αにおいて、閾値線以下のスリップ率Ｓの範囲内でＡＢＳ制御を作動すべきことを示している。
【００６２】
図６では、１本の閾値線のみ図示されているが、実際には、前輪２４及び後輪２６について１本ずつ閾値線が存在する。また、図６のマップでも、車体速度に応じて閾値線が設定される。従って、図６のマップは一例であり、実際には、複数の閾値線が存在する。
【００６３】
スリップ率閾値演算部５６は、図６のマップを参照し、バンク角演算部５２が算出したバンク角αについて、閾値線以下のスリップ率ＳをＡＢＳ制御の作動を開始するときの目標スリップ率に設定する。この場合、スリップ率閾値演算部５６には、車体速度演算部５０が算出した車体速度が入力されるので、スリップ率閾値演算部５６は、入力された車体速度から現時点のスリップ率Ｓを算出した後、算出したスリップ率Ｓが目標スリップ率に到達すれば、ＡＢＳ制御の作動を決定する。上述したスリップ率閾値演算部５６の処理結果（目標スリップ率等）は、スリップ率閾値演算部５６からバルブ制御演算部５８に出力される。
【００６４】
このように、本実施形態に係るブレーキ制御装置１０では、従来からあるスリップ率やスリップ量の制御に加え、減速度Ａを制限する制御も新たに加えた旋回時のブレーキ制御を実現している。
【００６５】
バルブ制御演算部５８は、減速度閾値演算部５４及びスリップ率閾値演算部５６からの処理結果等に基づき、（１）目標車輪減速度に基づくＡＢＳ制御の作動（ブレーキ液圧の減圧制御）、（２）目標スリップ率に基づくＡＢＳ制御の作動（ブレーキ液圧の減圧制御）、（３）現在のブレーキ液圧の保持、（４）運転者のブレーキレバー１６の操作量に応じたブレーキ液圧の増圧、のいずれの制御モードを実行すべきか否かを決定する。
【００６６】
そして、バルブ制御演算部５８は、決定した制御モードに応じたバルブの開閉信号をバルブ制御ユニット４０に供給する。これにより、バルブ制御ユニット４０は、バルブ制御演算部５８が決定した制御モードと、供給された開閉信号とに基づいて、バルブを開閉させ、ブレーキ液圧の調整を行う。
【００６７】
なお、本実施形態において、バルブ制御演算部５８は、自動二輪車１２の直進走行時のＡＢＳ制御では（２）の制御モードを優先させ、一方で、旋回時のＡＢＳ制御では（１）の制御モードを優先させる。また、ＡＢＳ制御を実行しない場合には、（３）又は（４）の制御モードを実行する。
【００６８】
図７〜図９は、バルブ制御演算部５８によるＡＢＳ制御の実行を図示したタイミングチャートである。
【００６９】
図７は、任意のバンク角αにおいて、（２）の目標スリップ率に基づくＡＢＳ制御を実行した場合を図示したタイミングチャートである。この場合、自動二輪車１２の旋回中、運転者のブレーキレバー１６の操作によって、時間ｔの経過と共に減速度Ａが大きくなり、時点ｔ０で減速度Ａが、図６のマップに基づき決定された目標スリップ率に応じた減速度Ａ０に到達すると、バルブ制御演算部５８は、（２）の制御モードに基づくＡＢＳ制御の作動を決定し、当該制御モードに応じたバルブの開閉信号をバルブ制御ユニット４０に供給する。これにより、バルブ制御ユニット４０は、供給された開閉信号に基づいてバルブを開閉し、ブレーキ液圧を断続的に調整する。この結果、時点ｔ０以降、減速度Ａは、Ａ０の値を維持する。
【００７０】
しかしながら、この場合、バンク角αで運転者が自動二輪車１２を旋回させると、減速度Ａ０よりも低い減速度Ａ１において、ハンドル１４に掛かる外力が運転者に違和感を生じさせる可能性がある。
【００７１】
そこで、本実施形態において、バルブ制御演算部５８は、減速度Ａ０よりも低い減速度Ａ１となる時点ｔ１において、（１）の制御モードでのＡＢＳ制御の実行を開始させる。
【００７２】
具体的には、図８のタイミングチャートに示すように、自動二輪車１２の旋回中、運転者のブレーキレバー１６の操作によって、時間ｔの経過と共に減速度Ａが大きくなる場合に、時点ｔ０前の時点ｔ１において、減速度Ａが減速度Ａ１（目標車輪減速度に応じた減速度）に到達すると、バルブ制御演算部５８は、（１）の制御モードに基づくＡＢＳ制御の作動を決定し、当該制御モードに応じたバルブの開閉信号をバルブ制御ユニット４０に供給する。
【００７３】
これにより、バルブ制御ユニット４０は、供給された開閉信号に基づいてバルブを開閉し、ブレーキ液圧を断続的に調整する。この結果、時点ｔ１以降、減速度Ａは、Ａ１の値を維持する。従って、図８の場合には、ハンドル１４を把持する運転者にとり、ハンドル１４に掛かる外力が運転者に違和感を生じさせる可能性が低い。なお、図７及び図８中の一点鎖線は、（１）の制御モードに基づくＡＢＳ制御が実行されない場合に、運転者のブレーキレバー１６の操作量に応じて制動力が作用する際の減速度Ａの時間変化を図示したものである。
【００７４】
図８では、減速度Ａ１に基づいてＡＢＳ制御を実行する。一方、減速度Ａ０は、スリップ率閾値演算部５６で求められた目標スリップ率に応じた減速度である。そのため、単純に、目標スリップ率を低く設定すれば、図８のような制御が実現可能となるようにも考えられる。
【００７５】
しかしながら、下記の理由から、目標スリップ率を低く設定するだけでは、図８と同様の制御を実現することはできない。
【００７６】
先ず、減速度Ａが低い領域では、スリップ率Ｓの算出精度が低くなる。すなわち、スリップ率Ｓは、前輪２４及び後輪２６の車輪速度に基づき検知される。この場合、前輪２４及び後輪２６は、ホイールの周りにゴムタイヤが巻かれて構成されており、走行時には、ゴムタイヤが潰れた状態で前輪２４及び後輪２６が回転する。前輪２４と後輪２６との間でゴムタイヤの潰れ方が異なると、スリップ率Ｓの算出精度に影響する。しかも、走行時にゴムタイヤがしっかりと路面６６に喰い込んでなければ、前輪２４及び後輪２６の大きさの違い、路面６６の状態、路面６６との接地面積の相違等に起因して、必要とされるスリップ率Ｓの算出が困難となる。
【００７７】
また、自動二輪車１２では、様々なスリップの状態があり、スリップ率Ｓを定義しづらい。さらには、後述するマンホール等の箇所を通過する場合には、スリップ率Ｓの算出が難しい。
【００７８】
従って、本実施形態に係るブレーキ制御装置１０では、上記の理由から、スリップ率Ｓではなく、減速度Ａ１に基づきＡＢＳ制御を実行している。
【００７９】
図９は、減速度Ａ１に基づくＡＢＳ制御中、路面６６の摩擦係数μが低い箇所を自動二輪車１２が通過する場合のブレーキ制御を図示したタイミングチャートである。なお、摩擦係数μが低い箇所とは、例えば、マンホールや砂のある路面６６をいう。
【００８０】
この場合、時点ｔ１から減速度Ａ１に基づくＡＢＳ制御が実行されているときに、時点ｔ２から時点ｔ３の時間帯に摩擦係数μが小さい箇所を自動二輪車１２が通過すると、一時的に減速度Ａが大きくなる。これは、摩擦係数μの小さな路面６６を走行することによりタイヤスリップが一時的に大きくなり、前輪２４及び後輪２６側で前輪回転速センサ３２及び後輪回転速センサ３４が検知した各車輪速度に基づく減速度Ａが大きくなるためである。
【００８１】
このようにスリップが一時的に大きくなり、スリップが許容量を超えてしまう場合には、（１）の制御モードに従った減速度Ａ１に基づくＡＢＳ制御を中断し、（２）の制御モードに従って、スリップに基づくＡＢＳ制御に一時的に切り替える。従って、時点ｔ２から時点ｔ３までの時間帯では、ハンドル１４に掛かる外力が運転者に違和感を生じさせる可能性があるが、例外的に、（２）の制御モードに基づくＡＢＳ制御が実行され、スリップを抑制するブレーキ制御が優先される。
【００８２】
その後、時点ｔ３で減速度ＡがＡ１にまで低下すると、再度、（２）の制御モードから（１）の制御モードに切り替わり、時点ｔ３以降、減速度Ａ１に基づくＡＢＳ制御が実行される。
【００８３】
［本実施形態の効果］
以上説明したように、本実施形態に係るブレーキ制御装置１０は、スリップ率閾値演算部５６によりスリップを所定の範囲に制限するように自動二輪車１２のブレーキ制御を行う（２）の制御モードと、減速度閾値演算部５４によりバンク角αに基づき減速度Ａを所定の範囲に制限するようにブレーキ制御を行う（１）の制御モードとを有する。このように、本実施形態では、スリップの抑制だけでなく、減速度Ａを所定の範囲に制限するようにブレーキ制御を行うことができる。
【００８４】
すなわち、本出願人が調査したところ、自動二輪車１２の旋回時に、スリップ率閾値演算部５６によりスリップを制限してブレーキ制御を行うと、ハンドル１４に掛かる外力が運転者に違和感を生じさせる場合がある。従って、運転者に違和感を生じさせにくくするためには、スリップ抑制によるブレーキ制御の開始よりも早い段階で、ブレーキ制御を開始させる必要がある。
【００８５】
そこで、本実施形態では、スリップ抑制を伴うブレーキ制御が行われるタイミング（時点ｔ０）よりも早いタイミング（時点ｔ１）で、減速度Ａに基づくブレーキ制御を実行する。このように、比較的早いタイミングで、減速度Ａに基づくブレーキ制御の機会を増やすことにより、自動二輪車１２の旋回中、運転者がハンドル１４に掛かる外力が運転者に違和感を生じさせにくいようにブレーキ制動力を制御することができる。また、旋回中のブレーキ制動がより安定することにより、運転者に更なる安心感を創出することもできる。
【００８６】
また、本実施形態では、減速度閾値演算部５４によるブレーキ制御と、スリップ率閾値演算部５６によるブレーキ制御とを共存させている。これにより、減速度閾値演算部５４によるブレーキ制御の実行中、スリップが一時的に大きくなり、スリップが所定の範囲を超えてしまう場合には、減速度閾値演算部５４によるブレーキ制御が中断され、スリップ率閾値演算部５６によるブレーキ制御に一時的に切り替わる。この結果、スリップを抑制するためのブレーキ制御を優先して実行することが可能となる。
【００８７】
さらに、本実施形態では、減速度閾値演算部５４によるブレーキ制御を前輪用のディスクブレーキ２０にのみ行ってもよい。これにより、ディスクブレーキ２０による前輪２４の制動が開始されてから、後輪用のディスクブレーキ２２による後輪２６の制動が開始されるまでの間は、減速度閾値演算部５４によるブレーキ制御が作動する場合でも、ディスクブレーキ２２は、運転者のブレーキ操作の入力を受け付けることが可能である。この結果、運転者による後輪２６のブレーキ操作に対する違和感を生じさせにくくすることができる。
【００８８】
また、バンク角αの絶対値が大きくなるほど、運転者にハンドル１４に違和感を生じさせるような減速度の限界値（目標車輪減速度の閾値）が小さくなる。これにより、目標車輪減速度（減速度Ａ１）を適切な値に制御することができる。
【００８９】
さらに、運転者に違和感を生じさせにくくするような減速度Ａがバンク角αに応じたマップ６８として作成されるので、当該マップ６８を用いて、自動二輪車１２の特性に合わせた適切なブレーキ制御を容易に行うことができる。
【００９０】
この場合、バンク角αの絶対値が第１所定値α１以下では、自動二輪車１２は、直立に近い状態となる。このような状態では減速度Ａを制限させないことで、より大きなブレーキ制動力を発揮させることが可能となる。この結果、運転者によるブレーキ操作性を損なわせることなく、適切なブレーキ制御を実施することができる。
【００９１】
また、バンク角αの絶対値が第２所定値α２以上の非常に大きなバンク角では、目標車輪減速度が一定値以下に制限される。これにより、ハンドル１４に掛かる外力の影響による運転者の違和感の抑制よりも、ブレーキ制動力の確保の方が優先される。この結果、より安定したブレーキ制御性を発揮させることができる。
【００９２】
以上、本発明について好適な実施形態を用いて説明したが、本発明の技術的範囲は、上記の実施形態の記載範囲に限定されることはない。上記の実施形態に、多様な変更又は改良を加えることが可能であることは、当業者に明らかである。そのような変更又は改良を加えた形態も、本発明の技術的範囲に含まれ得ることが、特許請求の範囲の記載から明らかである。また、特許請求の範囲に記載された括弧書きの符号は、本発明の理解の容易化のために添付図面中の符号に倣って付したものであり、本発明がその符号をつけた要素に限定されて解釈されるものではない。
【図１】
2017168692.tif 000003
【図２】
2017168692.tif 000004
【図３】
2017168692.tif 000005
【図４】
2017168692.tif 000006
【図５】
2017168692.tif 000007
【図６】
2017168692.tif 000008
【図７】
2017168692.tif 000009
【図８】
2017168692.tif 000010
【図９】
2017168692.tif 000011
【国際調査報告】
2017168692.tif 000012
2017168692.tif 000013
2017168692.tif 000014
2017168692.tif 000015